(57)【特許請求の範囲】
【請求項１】
点弧装置の電子素子（２３〜３０）用の支持体部分（１６）を有する形式の、点弧装置を備えたガス放電ランプソケット（１）において、支持体部分（１６）が上面側と下面側とを有していて、上面側と下面側は、両面側の一方の側から他方の面側へ到達できないように相互に仕切られており、しかも前記支持体部分（１６）の一方の面側（高電圧側）には、点弧装置の、高電圧を通す電子素子（２３〜２６）だけが配置されており、また前記支持体部分（１６）の他方の面側（低電圧側）には、点弧装置の、低電圧を通す電子素子（２７〜３０）だけが配置されており、
ガス放電ランプ（２）を装着しているケーシング上部部分（１０）が前記支持体部分（１６）の上面側に載設されており、しかも前記ケーシング上部部分（１０）が、電流供給路（８）用及び電流復帰路（７）用のブッシング（１３，１４）並びに、両ブッシング（１３，１４）間に配置された電気絶縁性の隔離ウェブ（１１，１２）を有しており、かつ前記支持体部分（１６）が、前記ケーシング上部部分（１０）のブッシング（１３，１４）及び隔離ウェブ（１１，１２）のための受容部を有しており、該受容部が、前記支持体部分（１６）に前記ケーシング上部部分（１０）を組付けた際に万一生じる沿面漏れ電流に対してラビリンスを生ぜしめるように形成されていることを特徴とする、点弧装置を備えたガス放電ランプソケット（１）。
【請求項２】
高電圧を通す素子（２３〜２６）として少なくとも１つの点弧変圧器（２３）が支持体部分（１６）に配置されており、かつ低電圧を通す素子（２７〜３０）として少なくとも次の素子、すなわち１つの火花ギャップ（２７）及び１つの点弧コンデンサ（２８）が支持体部分（１６）に配置されている、請求項１記載のガス放電ランプソケット（１）。
【請求項３】
高電圧を通す素子（２３〜２６）として更に少なくとも次の素子、すなわち１つの抑制チョーク（２４，２５）及び１つの高電圧コンデンサ（２６）が支持体部分（１６）に配置されており、かつ低電圧を通す素子（２７〜３０）として更に少なくとも次の素子、すなわち１つの妨害除去コンデンサ（２９）及び１つのオーム抵抗（３０）が支持体部分（１６）に配置されている、請求項２記載のガス放電ランプソケット（１）。
【請求項４】
抑制チョークの少なくとも１つが、ガス放電容器（３）内で燃焼するガス放電の方向に対して直角方向に配置されている、請求項３記載のガス放電ランプソケット（１）。
【請求項５】
点弧変圧器（２３）が環状変圧器である、請求項２から４までのいずれか１項記載のガス放電ランプソケット（１）。
【請求項６】
高電圧を通す素子（２３〜２６）が、電気絶縁性の注型コンパウンド内に埋込まれている、請求項１から５までのいずれか１項記載のガス放電ランプソケット（１）。
【請求項７】
支持体部分（１６）が、電気絶縁性のプラスチックから成っている、請求項１から６までのいずれか１項記載のガス放電ランプソケット（１）。
【請求項８】
ガス放電ランプソケット（１）の内部での電気的な接点接続が、リードフレーム式導体実装技術によって形成されている、請求項１から７までのいずれか１項記載のガス放電ランプソケット（１）。
【請求項９】
支持体部分（１６）が、導体フレームの少なくとも一部分を形成する金属製の押抜き曲げ成形インサート部品（３２〜３８）のための室を有している、請求項８記載のガス放電ランプソケット（１）。
【請求項１０】
支持体部分（１６）が、接続ケーブル差込みコネクタを収容するためのブラケット室（３９）を有している、請求項１から９までのいずれか１項記載のガス放電ランプソケット（１）。
【請求項１１】
支持体部分（１６）とケーシング上部部分（１０）が係止突起（２１）によって互いに係止されている、請求項１から１０までのいずれか１項記載のガス放電ランプソケット（１）。
【請求項１２】
ケーシング上部部分（１０）が、電気絶縁性のプラスチックから成っている、請求項１１記載のガス放電ランプソケット（１）。
【請求項１３】
支持体部分（１６）の下面側に装着されるケーシング下部部分（４０）が、支持体部分（１６）の対応受容部（４３，４４）内に係合する電気絶縁性の隔離ウェブ（４１，４２）を有している、請求項１から１２までのいずれか１項記載のガス放電ランプソケット（１）。
【請求項１４】
ケーシング下部部分（４０）が、電気絶縁性のプラスチックから成っている、請求項１３記載のガス放電ランプソケット（１）。
【請求項１５】
ケーシング上部部分（１０）が、一体成形された複数のスタッド又はピン（１５）を有しており、前記のスタッド又はピンが、支持体部分（１６）に沿った案内条溝（４６）内に延びており、かつケーシング下部部分（４０）と溶接又は鑞接されている、請求項１２から１４までのいずれか１項記載のガス放電ランプソケット（１）。
【請求項１６】
閉じた外側輪郭を有している、請求項１２から１４までのいずれか１項記載のガス放電ランプソケット（１）。
【請求項１７】
プラスチックで被覆された導体路を有する扁平な導体フレーム（６０）が、低電圧を通す素子（２７〜３０）を保有しており、該素子（２７〜３０）の接続端子が、前記導体フレーム（６０）の導体路と接続されている、請求項１から１６までのいずれか１項記載のガス放電ランプソケット。
【請求項１８】
支持体部分（１６）の高電圧側から低電圧側へ通じる接続ワイヤ（７２）のためのブッシングとして、両側を仕切る前記支持体部分（１６）のボトム内に複数の金属小管（７１）が埋込まれており、該金属小管の低電圧側の各端部が、導体フレーム（６０）の導体路（７０）の内の１つに接点接続している、請求項１７記載のガス放電ランプソケット。
【請求項１９】
金属小管（７１）が、高電圧側寄りの端部で漏斗状に拡径されている、請求項１８記載のガス放電ランプソケット。
【請求項２０】
金属小管（７１）の低電圧側の端部が、導体路（７０）の穴内に導入されており、該穴の縁部が、高電圧側とは反対の側へ向かって漏斗状に反り返されている、請求項１９記載のガス放電ランプソケット。
【請求項２１】
金属小管（７１）の低電圧側端部が、導体フレーム（６０）の導体路の穴内へ導入した後、かつ前記金属小管（７１）内へ接続ワイヤ（７２）を導入した後に溶接されている、請求項２０記載のガス放電ランプソケット。
【請求項２２】
ガス放電ランプソケット（１）を包囲する金属ケーシング（８０，８１）が設けられている、請求項１から２１までのいずれか１項記載のガス放電ランプソケット。
【発明の詳細な説明】
【０００１】
技術分野：
本発明は、請求項１に発明の上位概念として規定したように、点弧装置の電子素子用の支持体部分を有する形式の、点弧装置を備えたガス放電ランプソケットに関する。
【０００２】
背景技術：
点弧装置を備えた前記形式のガス放電ランプソケットは、米国特許第５５１０９６７号明細書に基づいて公知である。当該米国特許第５５１０９６７号明細書に基づいて公知になっているガス放電ランプソケットでは、ガス放電ランプのジャケット管区分は、スリット付き球体によってガス放電ランプソケット内にプレス嵌めされている。ガス放電ランプソケットの内部に配置された２条の接点レールは、電流供給路及び電流復帰路と点弧装置の所属接続端子との電気的接触を保証する。前掲米国特許第５５１０９６７号明細書によれば点弧装置は、細長い円筒体の形態でコンパクトに構成されており、該円筒体はガス放電ランプソケットの内部で、ガス放電ランプの長手延在方向に対して直交する方向に延びている。但し点弧装置の内部構造に関する詳細は、当該米国特許第５５１０９６７号明細書からは推考することができない。
【０００３】
類似のガス放電ランプソケットが米国特許第５６５９２２１号明細書に基づいて公知である。しかし当該米国特許第５６５９２２１号明細書では、プレス嵌め継手を形成するために、スリット付き球体に代えて、スリット付きの截頭円錐形楔体が使用される。
【０００４】
またドイツ連邦共和国特許出願公開第１９６１０３８５号明細書には、点弧装置を備えたガス放電ランプソケットが開示されている。当該ドイツ連邦共和国特許出願公開第１９６１０３８５号明細書によれば、点弧装置の２つの電気的接続端子、点弧インパルスレピータの第１巻線及びガス放電ランプの両方の主電極が直列接続されている。更に点弧装置の両接続端子が、コンデンサの直列回路によってオーム抵抗を介して互いに接続されている。コンデンサに対して並列に、点弧インパルスレピータの第２巻線の直列回路が火花ギャップと接続されている。点弧インパルスレピータ並びにその他の前記電気素子、前記の電気的な接続端子、ガス放電ランプの一部分及び、ガス放電ランプに沿って延びる外線の一部分は全体的又は部分的にプラスチック材料で外装射出成形又は埋込み成形されて、ガス放電ランプソケットを形成している。
【０００５】
ドイツ連邦共和国特許出願公開第１９５４１４３８号明細書に基づいて、点弧装置を備えたガス放電ランプソケットが公知であり、この場合、高電圧を通す点弧装置の素子がガス放電ランプソケット内に配置されているのに対して、低電圧を通す素子はバルブホルダー内に配置されている。
【０００６】
米国特許第５８３８１０９号明細書には、スタータ回路とノイズフィルタ回路を備えた放電灯用の点弧装置が開示されている。しかしながら当該点弧装置は放電灯ソケット内には配置されていない。
【０００７】
またドイツ連邦共和国特許出願公開第１９６１０３８８号明細書に基づいて、点弧装置を備えた別のガス放電ランプソケットが公知になっている。当該ドイツ連邦共和国特許出願公開第１９６１０３８８号明細書に記載の点弧装置は、高電圧コンデンサとテスラ変成コイルを有している。いま述べた両素子は、高電圧コンデンサをテスラ変成コイルの二次巻線によって包囲するように配置されている。
【０００８】
発明の開示：
本発明の課題は、公知のガス放電ランプソケットに対比して改善された動作確実性を有する、点弧装置を備えたガス放電ランプソケットを提供することである。
【０００９】
点弧装置を備えたガス放電ランプソケットにおける前記課題を解決する本発明の構成手段は、請求項１の特徴部に記載したように、支持体部分が上面側と下面側とを有し、しかも前記支持体部分の一方の面側（高電圧側）には、点弧装置の、高電圧を通す電子素子だけが配置されており、また前記支持体部分の他方の面側（低電圧側）には、点弧装置の、低電圧を通す電子素子だけが配置されている点にある。
【００１０】
本発明による点弧装置を備えたガス放電ランプソケットでは、高電圧を通す電子素子を、低電圧を通す電子素子から空間的に徹底的に隔離することによって、改善された動作確実性が得られ、この徹底的な隔離にも拘わらず、前記の電子素子が総てガス放電ランプソケット内に収納されているので、ガス放電ランプソケットは、高電圧用インターフェイスを介してではなく、低い方の電圧用のインターフェイスを介して給電回路網に接続されればよいことになる。概念規定のために念のために付記しておくが、本明細書で云う「低電圧」とは、数ｋＶまでの電圧と解されねばならない。これとは逆に本明細書で云う「高電圧」とは、約１０ｋＶ以上の電圧、特に数十ｋＶの電圧を表わすものとする。
【００１１】
本発明によるガス放電ランプソケットの有利な、かつ賞用される実施形態は、請求項２〜請求項１７に記載されている。
【００１２】
請求項４に記載したように、単数又は複数の抑制チョークを、特にガス放電の方向を基準として空間配置することによって、点弧装置を備えた本発明のガス放電ランプソケットは、特に優れた電磁的適合性を得ることが可能になる。
【００１３】
請求項６に記載した実施形態は、特に優れた高電圧絶縁性、ひいては又、格別優れた動作確実性を保証する。
【００１４】
請求項１１に記載した実施形態においてケーシング上部部分と支持体部分との協働によって生じるラビリンスは、万一発生した沿面漏れ電流に対する延長されたクリープ行程距離を形成し、従って該ラビリンスは動作確実性を改善するのに有利に寄与する特に効果的な絶縁対策である。同等のことは、ケーシング下部部分に関する請求項１４に記載した実施形態についても該当する。
【００１５】
請求項１７に記載した実施形態では、ガス放電ランプソケットの外側輪郭が閉じられていることによって、ガス放電ランプソケットの高電圧耐性が改善されており、該ガス放電ランプソケット内に配置された電気素子の、ガス放電に基づく熱放射による熱負荷が低下され、かつガス放電ランプソケット内に封じ込められている素子の排気が排除されている。
【００１６】
請求項１８に記載した扁平な導体フレーム（同じくリードフレームも）によって、製造時に複数の接続端子を同一平面において溶接できるという利点が得られる。導体フレームによって得られる更なる利点は、プリント回路の場合よりも導体路が肉厚であり、プラスチックに埋込まれた導体路によって支持体強度が一層高くなり、かつ一体成形されたリブによってクリープ行程距離が延長されることである。
【００１７】
支持体部分の高電圧側に素子を組付けた後に、該支持体部分の壁は所謂プライマーで処理され、該プライマーは、高電圧空間の内壁と、次いで注入される注型コンパウンドとの間の良好な接合を保証する。このプライマーは高電圧空間内へ注入され、かつ即座に再び注出される。即座の注出にも拘わらずプライマーは、接続ワイヤーのブッシング内へ侵入することがある。これを防止するために、支持体部分の高電圧側と低電圧側との間の隔壁は、絶対的な封止性を有していなければならないが、接続ワイヤが孔を通される場合には、この隔壁を形成する必要はない。
【００１８】
請求項１９に記載した実施形態は、絶対的な封止のための補助手段を提供する。それというのは支持体部分のボトムと金属小管との間の接合及び導体路における金属小管端部の接点接続が確実な封止性をもって実施できるからである。
【００１９】
請求項２０に記載した実施形態は、金属小管内への高電圧側素子の接続ワイヤ導入を容易にする。
【００２０】
請求項２１に記載の実施形態によれば、導体フレームの導体路内に穿設された穴内へ、支持体部分のボトムと固着結合された金属小管を導入することが容易になる。更に前記穴の縁部を漏斗状に反り返すことによって、溶接時に溶接材料の貯えが得られる。
【００２１】
金属小管の端部と、所属の接続ワイヤ及び導体路とを一緒に溶接することによって、絶対的な封止が可能になる（請求項２２）。
【００２２】
金属小管は更にまた溶接後に、場合によっては支持体の上部部分に装着されたピンと相俟って、導体フレームを位置固定するという機能を有している。
【００２３】
最後に請求項２３に記載したガス放電ランプソケットを包囲する金属ケーシングは、外部に対するシールドを良好にする利点を提供する。この場合、ガス放電容器内で燃焼するガス放電に対する抑制チョークがどのように配置されているかは問題でなくなる。
【００２４】
発明を実施するための最良の形態：
次に図面に基づいて本発明の実施例を詳説する。
【００２５】
図１〜図３には、それぞれ異なった図示形式で点弧装置を備えた本発明によるガス放電ランプソケット１の１実施例が図示されている。但し図１では、点弧装置に所属する電子素子は図示を省かれている。また前記の各図には所属のガス放電ランプ２も併せて図示されている。該ガス放電ランプ２の、ガス放電電極４を内蔵したガス放電容器３、外部バルブ５、セラミック管６によって部分的に包囲された電流復帰路７及び内部電流供給路８並びにソケット内部部分９は、ガス放電ランプソケットのケーシング上部部分１０内に装着されて調節された１つの構成ユニットを形成している。
【００２６】
ケーシング上部部分１０（図８及び図９も参照）は、内部電流供給路８及び電流復帰路７のための電気絶縁されたブッシング又はポート１３，１４を有している。ケーシング上部部分１０に付加的に設けた隔離ウェブ１１，１２は、電流復帰路７と内部電流供給路８との間の電気絶縁を改善する。
【００２７】
本発明のガス放電ランプソケット１は更にまた、点弧装置の電子素子用の支持体部分１６（図４〜図７も参照）を有している。該支持体部分１６は、ブッシング１３，１４とケーシング上部部分１０の隔離ウェブ１１，１２とのための正しく嵌合する受容部１７〜２０を有している。これによって、万一生じた沿面漏れ電流に対するラビリンスが生じる。支持体部分１６には、ガス放電ランプ２用の点弧装置全体（点弧電子回路）が装着されている。点弧装置の電子素子を装備した支持体部分１６が、ケーシング上部部分１０に嵌め込まれ、かつ複数の係止突起２１によって係止される。該係止突起２１は、ケーシング上部部分１０の内壁に対応成形された係合凹所２２に係合する。
【００２８】
支持体部分１６は上面側と下面側を有し、かつ両面側に点弧装置の素子を装備されている。但しここで云う概念「上面側」と「下面側」は、絶対的に平滑な面側と解されてはならない。図１〜図７に示したように各面側はそれ自体、段を有することもできる。しかしながら上面側と下面側は、両面側の一方の側から他方の面側へ到達できないように相互に仕切られている。到達しようとすれば必ず支持体部分１６の外縁３１を超えてか、それとも受容部１７の内壁の内部に配置された両ブッシング孔１９，２０の１つを通す必要がある。
【００２９】
支持体部分１６の装備は、高電圧（約３０ｋＶ）を通す点弧装置の素子を支持体部分１６の一方の側に配置し、低電圧（約２ｋＶ）を通す点弧装置の素子を支持体部分１６の他方の側に配置するようにして行われる。
【００３０】
特に支持体部分１６の高電圧側には、環状変圧器２３（図２及び図３参照）として構成された１つの点弧変圧器と２つの抑制チョーク２４，２５と１つの高電圧コンデンサ２６が配置されている。これらの高電圧を通す素子２３〜２６は、電気絶縁性の注型コンパウンド内に埋込まれている。両抑制チョーク２４，２５は、装置全体のできるだけ優れた電磁適合性を得るために、所属のガス放電容器３内で燃焼するガス放電の方向に対して直角な方向に位置している。本実施例では両抑制チョーク２４，２５は特に、ガス放電ランプ２の長手延在方向に対して直角な横方向に装着されている。
【００３１】
支持体部分１６の高電圧側とは反対の側、つまり支持体部分１６の低電圧側には、１つの火花ギャップ２７、１つの点弧コンデンサ２８、１つの妨害除去コンデンサ２９及び１つのオーム抵抗３０が配置されている。感温部品は、ガス放電容器３に対してできるだけ大きな間隔をとって配置されている。
【００３２】
支持体部分１６の壁３１，１７は一方では注型室を形成し、他方では電気絶縁体として働く。更に支持体部分１６は、金属質の押抜き曲げ成形インサート部品３２〜３８を有している。金属質の押抜き曲げ成形インサート部品３２〜３８は、内部電流供給路８及び電流復帰路７に対して電気的な接点を形成し、かつワイヤ、特に電子素子２７〜３０の接続ワイヤと接点接続するためのＵ形ブラケットを備えている。前記ワイヤは前記の押抜き曲げ成形インサート部品３２〜３８と溶接されており、つまりプリント配線基板は使用されず、電子的な構成はリードフレーム（Lead-Frame）式導体実装技術によって行われる。
【００３３】
支持体部分１６は更にまた、接続ケーブルのプラグコネクタを受容するためのブラケット室３９を有している。接続ケーブルは点弧装置を、別個の運用機器内に収容されているガス放電ランプ運用に必要な回路装置の残りの素子と接続する。
【００３４】
本発明による点弧装置を備えたガス放電ランプソケット１の図示の実施例は更にまた、ケーシング下部部分４０を有している（図１〜図３及び図１０参照）。ケーシング下部部分４０は、電気的に絶縁する隔離ウェブ及び隔離壁４１，４２を有し、これらは支持体部分１６の対応受容部４３，４４内に嵌め合い正しく係合する（図６参照）。このようにして絶縁壁から成るラビリンスが生じ、該ラビリンスは、万一の沿面漏れ電流のための経路を延長させ、従って、実施例として図示した本発明による点弧装置を備えたガス放電ランプソケット１の特に優れた動作確実性を保証するのに寄与する。
【００３５】
ケーシング上部部分１０は、一体成形されたスタッド又はピン１５を有している。スタッド又はピン１５は支持体部分１６の案内条溝４６内に延在し、かつケーシング下部部分４０に対応形成された穿設孔４５を貫通して、ケーシング下部部分４０に超音波溶接されている。本発明のガス放電ランプソケット１の別の実施例ではケーシング上部部分１０とケーシング下部部分４０は、全周にわたって互いにレーザ溶接されているか、それとも全周にわたって又はセグメント状に互いに係止されている。
【００３６】
ケーシング上部部分１０、支持体部分１６及びケーシング下部部分４０は、図示の実施例では熱的に高負荷可能な電気絶縁性プラスチックから成っている。ガス放電ランプソケット１の使用温度は、この材料選択の場合には最高１５０℃に達することができる。図示の実施例における本発明のガス放電ランプソケット１は、組立状態において、閉じた外側輪郭を有している。これに基づいて得られる特別の利点は、すでに前述した通りである。
【００３７】
次に図１１に基づいて点弧装置の電気的な回路構成を簡単に説明する。
【００３８】
該点弧装置は本実施例では、いわゆる非対称的なインパルス点弧装置である。３個の直流電圧接続端子４７，４８，４９のうちの２個は選択的に使用される。直流電圧接続端子４９は接地接続されており、かつ抵抗２５を介してガス放電ランプ２の接続端子５１に導かれている。直流電圧接続端子４７は−４００Ｖの供給電圧用であり、直流電圧接続端子４８は＋６００Ｖの供給電圧用である。点弧コンデンサ２８は火花ギャップ２７を介して、かつ点弧変圧器２３の一次巻線Ｎ１を介して衝撃的に放電する。点弧変圧器２３の一次巻線Ｎ１を通って流れる放電電流は、点弧変圧器２３の二次巻線Ｎ２において、使用供給電圧に関連して正極性又は負極性の単極高電圧パルスを誘導する。この単極高電圧パルスによって、接続端子５０においてガス放電ランプ２の内部電流供給路８が負荷される。本実施例では点弧電圧パルスは約２５ｋＶの振幅及び約３００ｎｓの幅を有している。高電圧コンデンサ２６はガス放電ランプ２の放電ギャップに対して並列接続されている。
【００３９】
図１２〜図１４に示した本発明によるガス放電ランプソケットの第２実施形態は、前述の実施形態に実質的に類似している。該ガス放電ランプソケットは、主構成部品であるケーシング上部部分１０と支持体部分１６とケーシング下部部分４０とから成っている。第１実施形態に対比して実質的な変更点は、火花ギャップ２７と点弧コンデンサ２８と妨害除去コンデンサ２９とオーム抵抗３０と閾値スイッチ５２（図１７参照）とを支持する導体フレーム６０、ケーシング下部部分４０に付加的に設けたラビリンス隔壁６１並びにＵ形接点６３及びフット接点６４において見ることができる。
【００４０】
図１３には、ガス放電ランプソケットの低電圧を通す素子と共に導体フレーム６０を組付けた後の支持体部分１６が図示されている。図面から判るように、すべての接点は同一平面内に位置しており、これによって接点の溶接が著しく簡便になる。
【００４１】
図１４から判るように、フット接点６４は内部電流供給路８を、環状変圧器２３の一方の接続端子と接続する。Ｕ形接点６３はガス放電ランプの電流復帰路７を抑制チョーク２４と接続する。付加的なラビリンス隔壁６１は、導体フレーム６０上で低電圧を通す素子からＵ形接点６３を遮蔽するために使用される。この図１４に示したように、環状変圧器２３は（ガス放電ランプソケットの、高電圧を通すその他の素子と共に）注型コンパウンド６２内に埋込まれている。
【００４２】
図１５には、支持体部分１６の隔壁１６′の断面図が部分的に図示されている。該隔壁１６′の下位には、ガス放電ランプソケットの高電圧を通す素子が位置し、また該隔壁１６′の上位では、ガス放電ランプソケット低電圧を通す素子が導体フレーム６０上に位置している。隔壁１６′内には、例えば銅製の金属小管７１が埋込まれ又は引込まれており、隔壁と小管との間の接合は絶対的に気密である。隔壁１６′の上位に配置された導体フレーム６０は実質的に、絶縁性プラスチックによって埋込まれた複数の導体路７０から成っている。導体路７０の各接点部位には穴が設けられており、該穴の縁部は上向きに、要するに、高電圧を通す側から離反した方の側へ向かって漏斗状に反り返されている。この漏斗状の反り返し部内へ前記金属小管７１が導入されている。接続ワイヤ７２自体は、高電圧側で漏斗状に拡径された金属小管７１内へ導入されている。接続ワイヤ７２の端部を、金属小管７１の端部及び導体路７０の反り返し部と溶接した後には、気密な溶接部位が生じ、該溶接部位は支持体部分１６のボトム両側間の確実な密封を保証する。
【００４３】
図１６には、２つの半割部、つまり上部部分８０と下部部分８１とから成っていてガス放電ランプソケット１を全面的に包囲する金属ケーシングが図示されている。この金属ケーシングによる包囲によって、抑制チョーク２４，２５の位置如何に関わらず、ガス放電ランプソケットの確実な遮蔽が得られる。
【００４４】
図１７には、ガス放電ランプ２を接続した第２実施形態による点弧装置の接続回路の構成図が図示されている。この回路構成が図１１に示した回路構成と相異している点は、双方向の閾値スイッチ５２が一方では直流電圧接続端子４７に、他方では接続端子５１に接続され、要するに妨害除去コンデンサ２９及び抑制チョーク２５に対して並列接続されていることであり、前記閾値スイッチ５２の等価回路像は、直列にかつ逆向きに接続された２個のツェナダイオードに相当する。このような閾値スイッチは、TRANSIL-Diode という商品名で SGS Thomson 社によって販売される。また択一的に閾値スイッチ５２は接続端子５１にではなくて、接地接続することもできる。高電圧を通す素子及び低電圧を通す素子はそれぞれ破線で囲まれており、かつＨ（ハイ）及びＮ（ロー）で表示されている。
【図面の簡単な説明】
【図１】  電子素子の装備を省き部分的に分解して所属のガス放電ランプと共に側面から見て示した本発明によるガス放電ランプソケットの１実施例の横断面図である。
【図２】  電子装備品及び所属のガス放電ランプと共に側面から見て示した本発明によるガス放電ランプソケットの第１実施例の分解図である。
【図３】  図２に示した実施例の分解斜視図である。
【図４】  本発明のガス放電ランプソケットにおける点弧装置の電子素子用の支持体部分の１実施例を上から見た平面図である。
【図５】  図４のＣ−Ｃ線に沿った断面図である。
【図６】  図４に示した支持体部分を下から見た平面図である。
【図７】  図６のＦ−Ｆ線に沿った断面図である。
【図８】  本発明によるガス放電ランプソケットのケーシング上部部分の１実施例の側面図である。
【図９】  図８に示したケーシング上部部分を下から見た平面図である。
【図１０】  本発明によるガス放電ランプソケットのケーシング下部部分の１実施例の斜視図である。
【図１１】  ガス放電ランプを接続した点弧装置の回路装置の１実施例の回路構成図である。
【図１２】  本発明によるガス放電ランプソケットの第２実施例の分解斜視図である。
【図１３】  導体フレームを装着した支持体部分の斜視図である。
【図１４】  図１２に示したガス放電ランプソケットの主要構成部分を側面から見た分解図である。
【図１５】  支持体部分のボトム及び導体フレームの部分断面図である。
【図１６】  ガス放電ランプソケットを包囲する金属ケーシングの上部部分及び下部部分を示す図である。
【図１７】  ガス放電ランプを接続した点弧装置の回路装置の第２実施例の回路構成図である。
【符号の説明】
１    ガス放電ランプソケット、２    ガス放電ランプ、３    ガス放電容器、４    ガス放電電極、５    外部バルブ、６    セラミック管、７    電流復帰路、８    内部電流供給路、９    ソケット内部部分、１０    ケーシング上部部分、１１，１２    隔離ウェブ、１３，１４    ブッシング又はポート、１５    スタッド又はピン、１６    支持体部分、１６′    隔壁、１７，１８，１９，２０    受容部、２１    係止突起、２２    係合凹所、２３    点弧変圧器としての環状変圧器、２４，２５    抑制チョーク、２６    高電圧コンデンサ、２７    火花ギャップ、２８    点弧コンデンサ、２９    妨害除去コンデンサ、３０    オーム抵抗、３１    壁、３２〜３８    押抜き曲げ成形インサート部品、３９    ブラケット室、４０    ケーシング下部部分、４１，４２    隔離ウェブ及び隔離壁、４３，４４    対応受容部、４５    穿設孔、４６    案内条溝、４７，４８，４９    直流電圧接続端子、５０，５１    接続端子、５２    閾値スイッチ、６０    導体フレーム、６１    ラビリンス隔壁、６２    注型コンパウンド、６３    Ｕ形接点、６４    フット接点、７０    導体路、７１    金属小管、７２    接続ワイヤ、８０    金属ケーシングの上部部分、８１    金属ケーシングの下部部分、Ｎ１    一次巻線、Ｎ２    二次巻線、Ｈ    高電圧を通す素子、Ｎ    低電圧を通す素子
【図１】
0004499297.tif 000002
【図２】
0004499297.tif 000003
【図３】
0004499297.tif 000004
【図４】
0004499297.tif 000005
【図５】
0004499297.tif 000006
【図６】
0004499297.tif 000007
【図７】
0004499297.tif 000008
【図８】
0004499297.tif 000009
【図９】
0004499297.tif 000010
【図１０】
0004499297.tif 000011
【図１１】
0004499297.tif 000012
【図１２】
0004499297.tif 000013
【図１３】
0004499297.tif 000014
【図１４】
0004499297.tif 000015
【図１５】
0004499297.tif 000016
【図１６】
0004499297.tif 000017
【図１７】
0004499297.tif 000018